(57)【要約】【課題】カバー部材の構造が複雑になるのを抑制して、カバー部材の加工を容易にする。【解決手段】建具１は、枠体２と、枠体２の内周側に配置される障子３と、障子３に接触する気密材１７と、を備える。枠体２のカバー部材４０は、枠体２の見込み方向Ｓの一端部２Ｂと障子３の間の開口部２Ａを形成する。カバー部材４０は、枠体２の見込み方向Ｓに沿って形成された突出部４１と、突出部４１に連続して設けられて枠体２の見込み方向Ｓに沿って形成された見込み部４２と、を有する。装着部材７０は、見込み部４２から枠体２の内周側に向かって突出する。気密材１７は、装着部材７０に設けられ、カバー部材４０よりも枠体２の内周側に配置される。【選択図】  図３
2018080462.tif 000002
【特許請求の範囲】
【請求項１】
見込み方向の一端部と他端部の間で開口部を形成する枠体と、前記枠体の内周側に配置される障子と、前記障子に対して前記枠体の一端部側に配置されて前記障子に接触する気密材と、を備えた建具であって、
前記枠体は、前記枠体の一端部と前記障子の間の前記開口部を形成するカバー部材を有し、
前記カバー部材は、前記枠体の一端部側に前記枠体の見込み方向に沿って形成された突出部と、前記突出部に連続して設けられて前記突出部と前記障子の間で前記枠体の見込み方向に沿って形成された見込み部と、を有し、
前記気密材は、前記見込み部から前記枠体の内周側に向かって突出する装着部材に設けられ、前記カバー部材よりも前記枠体の内周側に配置される建具。
【請求項２】
請求項１に記載された建具において、
前記枠体の内周側に配置される網体と、
前記網体を保持する保持部材と、を備え、
前記装着部材は、前記保持部材である建具。
【請求項３】
請求項１又は２に記載された建具において、
前記カバー部材は、前記見込み部に対して前記枠体の外周側に向かってくぼむ取付部を有し、
前記装着部材は、前記取付部に取り付けられる建具。
【請求項４】
請求項１ないし３のいずれかに記載された建具において、
前記枠体は、前記カバー部材に対して前記枠体の外周側に位置する外枠部を有し、
前記カバー部材は、前記枠体の一端部と前記障子の間で前記外枠部を覆う建具。
【請求項５】
請求項１ないし４のいずれかに記載された建具において、
前記障子は、少なくとも一部が前記カバー部材よりも前記枠体の内周側で前記装着部材に沿って配置される框体を有し、
前記気密材は、前記框体に接触する建具。
【発明の詳細な説明】
【技術分野】
【０００１】
本発明は、障子に接触する気密材を備えた建具に関する。
【背景技術】
【０００２】
建築物の開口部に設置される建具では、樹脂製のカバー部材が枠体の室内側の部分に設けられることがある。枠体のカバー部材は、枠体の室内側の端部に、枠体の見込み方向に突出する突出部（アングル部）を有する。カバー部材の突出部は、建築物の開口部を囲む縁部（開口縁部）に取り付けられて、枠体内で、上下方向と左右方向に対向して配置される。枠体の室内側の端部において、突出部は枠体の内面部であり、対向する突出部の間の寸法は枠体の内法寸法（高さ、幅）である。また、従来、カバー部材である網体取付部に、障子の框体に接触する気密材を設けた建具が知られている（特許文献１参照）。
【０００３】
特許文献１に記載された従来の建具では、障子の框体がカバー部材の突出部よりも枠体の内周側に位置しており、気密材がカバー部材の突出部よりも枠体の内周側に配置される。そのため、カバー部材が枠体の内周側に向かって突出するように形成されて、カバー部材の框体と対向する部分に気密材が設けられる。これに伴い、従来の建具では、カバー部材の構造が複雑になり、カバー部材が加工し難くなる。また、カバー部材の長手方向の端部の構造も複雑になることがある。
【０００４】
図４は、従来の建具１００の枠体１０１を示す正面図であり、室内側からみた枠体１０１の概略構成を模式的に示している。
図示のように、枠体１０１のカバー部材１０２は、板状の突出部１０３と、突出部１０３よりも枠体１０１の内周側に形成される内周側部１０４と、長手方向の両端部に形成された段部１０５を有する。内周側部１０４が突出部１０３よりも短く形成されて、段部１０５が突出部１０３の端部と内周側部１０４の端部の間に形成される。
【０００５】
従来の建具１００では、４つのカバー部材１０２が、端部同士を接触させた状態で、方形状に組み合わされる。その状態で、隣接するカバー部材１０２において、段部１０５が組み合わされて、カバー部材１０２の端部同士が隙間なく接触する。ところが、段部１０５の形成に伴い、カバー部材１０２の端部の構造（形状）が複雑になる。そのため、カバー部材１０２の端部が加工し難く、端部の加工に手間がかかる。
【０００６】
また、枠体の内法寸法に関しては、設計や施工のし易さ等の観点から、基準（例えば、内法基準寸法）が規定されている。枠体の内法寸法を内法基準寸法に一致させるときには、カバー部材の突出部の位置を気密材の位置に合わせて変更できない。そのため、この場合には、カバー部材の構造（端部の構造を含む）が複雑になるのを抑制するのが難しく、カバー部材の加工（端部の加工を含む）を容易にする観点から、特に改良が求められる。
【先行技術文献】
【特許文献】
【０００７】
【特許文献１】特許第５６８２９２７号公報
【発明の概要】
【発明が解決しようとする課題】
【０００８】
本発明は、前記従来の問題に鑑みなされたもので、その目的は、枠体の見込み方向に突出するカバー部材の突出部よりも枠体の内周側に気密材が配置されるときに、カバー部材の構造が複雑になるのを抑制して、カバー部材の加工を容易にすることである。
【課題を解決するための手段】
【０００９】
本発明は、見込み方向の一端部と他端部の間で開口部を形成する枠体と、前記枠体の内周側に配置される障子と、前記障子に対して前記枠体の一端部側に配置されて前記障子に接触する気密材と、を備えた建具である。前記枠体は、前記枠体の一端部と前記障子の間の前記開口部を形成するカバー部材を有する。前記カバー部材は、前記枠体の一端部側に前記枠体の見込み方向に沿って形成された突出部と、前記突出部に連続して設けられて前記突出部と前記障子の間で前記枠体の見込み方向に沿って形成された見込み部と、を有する。前記気密材は、前記見込み部から前記枠体の内周側に向かって突出する装着部材に設けられ、前記カバー部材よりも前記枠体の内周側に配置される。
【発明の効果】
【００１０】
本発明によれば、枠体の見込み方向に突出するカバー部材の突出部よりも枠体の内周側に気密材が配置されるときに、カバー部材の構造が複雑になるのを抑制して、カバー部材の加工を容易にすることができる。
【図面の簡単な説明】
【００１１】
【図１】本実施形態の建具の正面図である。
【図２】本実施形態の建具の断面図である。
【図３】本実施形態の建具の断面図である。
【図４】従来の建具の枠体を示す正面図である。
【発明を実施するための形態】
【００１２】
本発明の建具の一実施形態について、図面を参照して説明する。
本実施形態の建具は、開閉窓であり、障子により枠体の開口部を開閉する。以下では、建具が縦すべり出し窓である例について説明する。
【００１３】
図１は、本実施形態の建具１の正面図であり、室内側からみた建具１を模式的に示している。
図示のように、建具１は、建築物の開口部に設置されて、建築物の室内と室外の間に配置される。また、建具１は、枠体２と、枠体２に開閉可能に取り付けられた障子３と、障子３の開閉を操作する操作機構４と、枠体２に装着された網戸５を備えている。障子３と網戸５は、枠体２の内周側に配置されて、枠体２により保持される。なお、図１では、網戸５に設けられた網体５Ａの一部を示している。
【００１４】
図２、図３は、本実施形態の建具１の断面図であり、建具１の概略構成を示している。図２は、建具１を垂直方向に切断した縦断面図であり、図３は、建具１を水平方向に切断した横断面図である。
図示のように、枠体２は、複数のネジ６により、建築物の開口縁部に取り付けられて、障子３と網戸５を囲む。障子３と網戸５は、枠体２の開口部２Ａに配置されて、枠体２の内周側で並置される。網戸５は、障子３の室内側に配置されて、枠体２の開口部２Ａを覆う。網戸５が枠体２に装着された状態で、操作機構４を操作して、操作機構４により、障子３を開閉する。障子３の開閉（移動）により、枠体２の開口部２Ａが開閉される。
【００１５】
障子３は、方形状の開閉体であり、方形状の框体１０と、框体１０に取り付けられたパネル体３Ａを有する。パネル体３Ａは、複数のガラス板３Ｂを有する複層ガラスであり、框体１０の内周側に嵌め込まれる。框体１０は、枠組みされた４つの框１１〜１３（上框１１、下框１２、一対の縦框１３）を有する。框１１〜１３は、框体１０を構成する長尺な框材（窓框）であり、それぞれパネル体３Ａの縁部に沿って配置される。
【００１６】
操作機構４は、障子３を開閉可能に支持する開閉機構４Ａと、開閉機構４Ａに連結された操作部材４Ｂを有する。操作部材４Ｂは、回転可能な操作ハンドルであり、枠体２から室内側に突出する。障子３の開閉時には、操作部材４Ｂを回転して、開閉機構４Ａを操作部材４Ｂの回転に連動して動作させる。操作機構４は、操作部材４Ｂにより操作されて、開閉機構４Ａにより障子３を開閉する。その際、一方の縦框１３（戸尻框）が左右にスライドしつつ、戸尻框を中心に障子３が回転して、他方の縦框１３（戸先框）が障子３の回転方向に移動する。これにより、障子３は、室外側と枠体２側とに移動して、開閉する。
【００１７】
枠体２は、方形状の開口枠であり、枠組みされた４つの枠７〜９（上枠７、下枠８、一対の縦枠９）を有する。枠７〜９は、枠体２を構成する長尺な枠材であり、建築物の開口縁部に沿って配置される。枠体２は、枠７〜９により、見込み方向Ｓの一端部２Ｂと他端部２Ｃの間で開口部２Ａを形成する。枠体２の一端部２Ｂは、枠体２の見込み方向Ｓの一方側（ここでは、室内側）の端部であり、枠体２の他端部２Ｃは、枠体２の見込み方向Ｓの他方側（ここでは、室外側）の端部である。
【００１８】
枠体２の開口部２Ａは、枠７〜９により区画されて、枠体２の内周側に形成される。また、建築物の開口縁部は、枠体２の外周側に設けられる。枠体２の内周側は、各枠７〜９において枠体２の開口部２Ａが位置する側であり、枠体２の内部側（開口部２Ａ側）である。枠体２の外周側は、各枠７〜９において内周側の反対側であり、枠体２の外部側（開口縁部側）である。
【００１９】
枠体２は、複合枠であり、枠７〜９のそれぞれに、外枠部７Ａ〜９Ａとカバー部材２０、３０、４０を有する。外枠部７Ａ〜９Ａは、枠７〜９のベース部（枠本体）であり、それぞれカバー部材２０、３０、４０に対して枠体２の外周側に位置する。カバー部材２０、３０、４０は、それぞれ外枠部７Ａ〜９Ａに対して枠体２の内周側に位置する内枠部であり、外枠部７Ａ〜９Ａの一部を覆う。また、外枠部７Ａ〜９Ａは、金属製の金属枠部であり、カバー部材２０、３０、４０は、合成樹脂製の樹脂枠部（樹脂カバー）である。
【００２０】
外枠部７Ａ〜９Ａは、金属（ここでは、アルミニウム合金）の押出成形により成形されて、方形状に組み合わされる。カバー部材２０、３０、４０は、合成樹脂の押出成形により成形されて、それぞれ外枠部７Ａ〜９Ａに取り付けられる。外枠部７Ａ〜９Ａとカバー部材２０、３０、４０は、各枠７〜９の長手方向に沿って配置される。カバー部材２０、３０、４０は、枠体２の一端部２Ｂと障子３の間の領域に配置されて、枠体２の一端部２Ｂと障子３の間に位置する外枠部７Ａ〜９Ａを覆う。
【００２１】
上枠７のカバー部材２０（上カバー部材）は、上枠７の外枠部７Ａに取り付けられ、下枠８のカバー部材３０（下カバー部材）は、下枠８の外枠部８Ａに取り付けられる。カバー部材２０、３０は、上下方向に対向して配置される。操作部材４Ｂは、下枠８のカバー部材３０に取り付けられている。一対の縦枠９のカバー部材４０（縦カバー部材）は、縦枠９の外枠部９Ａに取り付けられて、左右方向に対向して配置される。枠体２の一端部２Ｂは、カバー部材２０、３０、４０の室内側の端部であり、カバー部材２０、３０、４０は、枠体２の一端部２Ｂと障子３の間の開口部２Ａを形成する。
【００２２】
カバー部材２０、３０、４０は、それぞれ、枠体２の一端部２Ｂ側に形成された突出部２１、３１、４１と、突出部２１、３１、４１に連続して設けられた見込み部２２、３２、４２と、外枠部７Ａ〜９Ａに係合する係合突起２３、３３、４３と、見込み部２２、３２、４２に形成された取付部２４、３４、４４を有する。突出部２１、３１、４１は、板状に形成された突片（アングル部）であり、枠体２の見込み方向Ｓに沿って形成されて、枠体２の見込み方向Ｓの一方側（室内側）に突出する。枠体２の最も室内側の位置で、突出部２１、３１、４１は、建築物の開口縁部に接触して、開口縁部に取り付けられる。
【００２３】
上枠７の突出部２１と下枠８の突出部３１は、上下方向に対向して配置され、一対の縦枠９の突出部４１は、左右方向に対向して配置される。突出部２１と突出部３１の間の距離は、枠体２の上下方向の内法寸法（高さ）であり、一対の突出部４１の間の距離は、枠体２の左右方向の内法寸法（幅）である。枠体２の内法寸法は、内法基準寸法に一致する。
【００２４】
突出部２１、３１、４１と障子３の間の領域で、見込み部２２、３２、４２は、枠体２の見込み方向Ｓに沿って形成されている。突出部２１、３１、４１と見込み部２２、３２、４２の間に他の部分（例えば、段部）は介在せず、突出部２１、３１、４１と見込み部２２、３２、４２は直接に接続する。互いに連続する突出部２１、３１、４１と見込み部２２、３２、４２は、同じ平面上に位置するように形成される。突出部２１、３１、４１と見込み部２２、３２、４２は、枠体２の平坦な内周部であり、枠体２の一端部２Ｂと障子３の間で開口部２Ａを区画して、枠体２の室内側の開口部２Ａを形成する。見込み部２２、３２、４２は、突出部２１、３１、４１から障子３に向かって形成されるとともに、取付部２４、３４、４４に対して枠体２の見込み方向Ｓの両側に形成される。
【００２５】
係合突起２３、３３、４３は、それぞれ、見込み部２２、３２、４２から枠体２の外周側に向かって突出して、外枠部７Ａ〜９Ａの係合部７Ｂ〜９Ｂに係合する。ここでは、それぞれ２つの係合突起２３、３３、４３が、外枠部７Ａ〜９Ａに向かって突出し、係合部７Ｂ〜９Ｂに引っ掛けられて係合する。これにより、カバー部材２０、３０、４０が外枠部７Ａ〜９Ａに取り付けられる。その状態で、突出部２１、３１、４１は、枠体２の室内側の壁部７Ｃ〜９Ｃから室内側に向かって突出する。壁部７Ｃ〜９Ｃは、枠体２の見込み方向Ｓの室内側に位置する係合突起２３、３３、４３及び外枠部７Ａ〜９Ａの室内側部７Ｄ〜９Ｄからなる。
【００２６】
取付部２４、３４、４４には、網戸５が脱着可能に取り付けられる。取付部２４、３４、４４は、凹状の溝部であり、それぞれ、見込み部２２、３２、４２に対して枠体２の外周側に向かってくぼむ。また、取付部２４、３４、４４は、見込み部２２、３２、４２に開口し、枠体２の内周側に向かって開放されている。取付部２４、３４、４４と係合突起２３、３３、４３は、見込み部２２、３２、４２と突出部２１、３１、４１に対して枠体２の外周側に位置する。
【００２７】
建具１は、カバー部材２０、３０、４０のそれぞれに装着される装着部材５０、６０、７０と、装着部材５０、６０、７０のそれぞれに設けられる気密材１７を備えている。気密材１７は、障子３に対して、枠体２の見込み方向Ｓの一方側（枠体２の一端部２Ｂ側）に配置されて、障子３に向かって突出する。気密材１７は、カバー部材２０、３０、４０よりも枠体２の内周側に配置され、障子３が閉じた状態で、障子３に接触する。障子３の室内側の面に接触する気密材１７により、装着部材５０、６０、７０と障子３の間の部分が密閉される。ここでは、気密材１７の少なくとも一部（全部又は一部）が、カバー部材２０、３０、４０よりも枠体２の内周側に配置される。
【００２８】
気密材１７は、装着部材５０、６０、７０に一体に形成された突片であり、気密材１７と装着部材５０、６０、７０は、合成樹脂により形成されている。また、気密材１７は、装着部材５０、６０、７０の合成樹脂よりも軟質な合成樹脂から形成され、障子３への接触に伴い弾性変形する。気密材１７が障子３から離れたときに、気密材１７の弾性変形が解消されて、気密材１７が見込み部２２、３２、４２及び突出部２１、３１、４１よりも枠体２の内周側に配置される。
【００２９】
装着部材５０、６０、７０は、各カバー部材２０、３０、４０の長手方向に沿って配置され、気密材１７は、各装着部材５０、６０、７０の長手方向に連続して形成される。装着部材５０、６０、７０は、中空状に形成され、カバー部材２０、３０、４０に装着された状態で、それぞれ、カバー部材２０、３０、４０の見込み部２２、３２、４２から枠体２の内周側に向かって突出する。ここでは、装着部材５０、６０、７０は、それぞれ、カバー部材２０、３０、４０の取付部２４、３４、４４に取り付けられて、見込み部２２、３２、４２に装着される。また、装着部材５０、６０、７０は、網体５Ａを保持する保持部材であり、網戸５の一部を構成する。
【００３０】
建具１は、網戸５に、網体５Ａと、４つの装着部材５０、６０、７０（保持部材）を備えている。網体５Ａと装着部材５０、６０、７０は、障子３に対して枠体２の一端部２Ｂ側に配置されて、障子３に対向して配置される。網体５Ａは、方形状に形成された網材であり、枠体２の内周側に配置される。装着部材５０、６０、７０は、網戸５の框体を構成する長尺な框材（網戸框）であり、気密材１７とともに、合成樹脂の押出成形により成形されて、方形状に組み合わされる。
【００３１】
装着部材５０、６０、７０は、カバー部材２０、３０、４０に装着された状態で、網体５Ａを保持する。４つの装着部材５０、６０、７０により、網体５Ａの４つの縁部５Ｂ〜５Ｄが保持されて、網体５Ａが枠体２に連結される。障子３の框体１０（框１１〜１３）の少なくとも一部は、カバー部材２０、３０、４０よりも枠体２の内周側で、装着部材５０、６０、７０に沿って配置される。框体１０と装着部材５０、６０、７０は、対向して配置され、枠体２の見込み方向Ｓに離れた状態で並置される。
【００３２】
装着部材５０、６０、７０は、障子３の框体１０に対して室内側に配置される。建具１を室内側からみたときに、框体１０が装着部材５０、６０、７０により遮蔽されて、框体１０の露出が抑制される。気密材１７は、装着部材５０、６０、７０と框体１０の間に配置されて、装着部材５０、６０、７０と框体１０の間の空間を塞ぐ。その状態で、気密材１７は、框体１０の各框１１〜１３に沿って配置されて、框体１０に接触する。
【００３３】
装着部材５０、６０、７０は、それぞれ、網体５Ａを保持する保持部５１、６１、７１と、弾性変形可能な２つの係合突起５２、６２、７２を有する。保持部５１、６１、７１は、それぞれ、凹状の保持溝であり、一対の挟持部５３、６３、７３を有する。一対の挟持部５３、６３、７３は、保持部５１、６１、７１内に形成され、隙間を開けた状態で対向する。
【００３４】
網体５Ａの縁部５Ｂ〜５Ｄは、それぞれ、保持部５１、６１、７１内に挿入され、一対の挟持部５３、６３、７３の間に配置される。網体５Ａの縁部５Ｂ〜５Ｄは、一対の挟持部５３、６３、７３により挟持されて、保持部５１、６１、７１に保持される。網体５Ａは、４つの装着部材５０、６０、７０の内周側に張られて、装着部材５０、６０、７０により、枠体２の開口部２Ａに保持される。
【００３５】
装着部材５０、６０、７０の係合突起５２、６２、７２は、それぞれ、カバー部材２０、３０、４０に向かって突出し、カバー部材２０、３０、４０の取付部２４、３４、４４に挿入される。２つの係合突起５２、６２、７２が、取付部２４、３４、４４内の係合部（ここでは、２つの張り出し部）に引っ掛けられて係合する。これにより、装着部材５０、６０、７０は、取付部２４、３４、４４に取り付けられて、カバー部材２０、３０、４０に装着される。装着部材５０、６０、７０により、取付部２４、３４、４４が覆われて、枠体２の開口部２Ａ側で、取付部２４、３４、４４が遮蔽される。また、係合突起５２、６２、７２を取付部２４、３４、４４から引き出すことで、装着部材５０、６０、７０が取付部２４、３４、４４及びカバー部材２０、３０、４０から取り外される。
【００３６】
装着部材５０（上装着部材）は、上枠７のカバー部材２０に装着され、装着部材６０（下装着部材）は、下枠８のカバー部材３０に装着される。装着部材５０、６０は、上下方向に対向して配置される。一対の装着部材７０（縦装着部材）は、一対の縦枠９のカバー部材４０に装着されて、左右方向に対向して配置される。装着部材５０、６０、７０のうち、装着部材５０、７０は、中空部５４、７４を有する。保持部５１、７１は、中空部５４、７４の障子３と対向する部分に形成され、係合突起５２、７２は、中空部５４、７４のカバー部材２０、４０と対向する部分に形成される。これに対し、装着部材６０は、中空部を有さず、係合突起６２は、保持部６１のカバー部材３０と対向する部分に形成される。
【００３７】
以上説明した建具１（図１参照）では、カバー部材２０、３０、４０に装着される装着部材５０、６０、７０に気密材１７を設ける。また、カバー部材２０、３０、４０と装着部材５０、６０、７０を別個に加工して、それぞれの長手方向の両端部を形成する。その際、例えば、カバー部材２０、４０、５０と装着部材５０、６０、７０を、それぞれの長手方向に直交する方向に切断して、所定長さに形成する。これにより、各長手方向に直交する両端部をカバー部材２０、３０、４０と装着部材５０、６０、７０に形成する。カバー部材２０、３０、４０は、端部同士を接触させた状態で方形状に組み合わされ、装着部材５０、６０、７０は、端部同士を接触させた状態で方形状に組み合わされる。
【００３８】
従って、本発明によれば、カバー部材２０、３０、４０の端部を含む構造（形状）が複雑になるのを抑制して、カバー部材２０、３０、４０の加工を容易に行うことができる。また、カバー部材２０、３０、４０の突出部２１、３１、４１と見込み部２２、３２、４２を平坦な形状に形成できるとともに、カバー部材２０、３０、４０の構造を単純にすることができる。カバー部材２０、３０、４０の端部を容易かつ正確に形成することもできる。
【００３９】
本発明によれば、装着部材５０、６０、７０が網体５Ａを保持する保持部材であるため、建具１の部品を有効に活用して、建具１の部品数の増加を抑制することができる。また、本発明によれば、見込み部２２、３２、４２に対してくぼむ取付部２４、３４、４４に装着部材５０、６０、７０を取り付けており、カバー部材２０、３０、４０の構造を単純にしつつ、装着部材５０、６０、７０をカバー部材２０、３０、４０に容易に取り付けることができる。更に、本発明によれば、枠体２の一端部２Ｂと障子３の間で、カバー部材２０、３０、４０により、外枠部７Ａ〜９Ａの露出を防止することができる。
【００４０】
本発明によれば、カバー部材２０、３０、４０よりも枠体２の内周側で、障子３の框体１０に気密材１７を接触させて、気密材１７の気密性能を発揮させることができる。枠体２の内法寸法が内法基準寸法に一致するときには、内法基準寸法の規格を満たしつつ、建具１の採光面積を大きくすることができる。この場合には、突出部２１、３１、４１と見込み部２２、３２、４２の位置を変更できない。しかしながら、装着部材５０、６０、７０に気密材１７を設けることで、カバー部材２０、３０、４０の構造が複雑になるのを抑制することができる。
【００４１】
なお、カバー部材２０、３０、４０は、合成樹脂以外の材料（例えば、金属）から形成してもよい。障子３は、框体１０を有さない障子であってもよく、装着部材５０、６０、７０は、網戸５の保持部材以外の装着部材（例えば、スクリーンの保持部材、枠体２の内周部材）であってもよい。また、本発明は、縦すべり出し窓に限定されず、気密材とカバー部材を備えた種々の建具に適用することができる。
【符号の説明】
【００４２】
１・・・建具、２・・・枠体、３・・・障子、４・・・操作機構、５・・・網戸、６・・・ネジ、７・・・上枠、８・・・下枠、９・・・縦枠、１０・・・框体、１１・・・上框、１２・・・下框、１３・・・縦框、１７・・・気密材、２０・・・カバー部材、２１・・・突出部、２２・・・見込み部、２３・・・係合突起、２４・・・取付部、３０・・・カバー部材、３１・・・突出部、３２・・・見込み部、３３・・・係合突起、３４・・・取付部、４０・・・カバー部材、４１・・・突出部、４２・・・見込み部、４３・・・係合突起、４４・・・取付部、５０・・・装着部材、５１・・・保持部、５２・・・係合突起、５３・・・挟持部、５４・・・中空部、６０・・・装着部材、６１・・・保持部、６２・・・係合突起、６３・・・挟持部、７０・・・装着部材、７１・・・保持部、７２・・・係合突起、７３・・・挟持部、７４・・・中空部。
【図１】
2018080462.tif 000003
【図２】
2018080462.tif 000004
【図３】
2018080462.tif 000005
【図４】
2018080462.tif 000006